(57)【特許請求の範囲】
【請求項１】
それぞれ近距離無線通信手段を備えた第１及び第２の携帯端末装置と、近距離無線通信ネットワークに接続されたコンテンツ管理サーバ装置とを有するコンテンツ管理システムであって、
上記第１の携帯端末装置は、
少なくとも上記コンテンツ管理サーバ装置のＵＲＬ情報（URL：Uniform Resource Locator）を上記第２の携帯端末装置に送信するＵＲＬ情報送信手段と、
上記ＵＲＬ情報送信手段で送信されたＵＲＬ情報に関連付けて、該ＵＲＬ情報を送信した上記第２の携帯端末装置の固有の機器識別情報、及び該ＵＲＬ情報の送信時刻を示す送信時刻情報を記憶する記憶手段と、
上記記憶手段に記憶された上記機器識別情報及び送信時刻情報を上記近距離無線通信手段を介して上記コンテンツ管理サーバ装置に送信することで、該コンテンツ管理サーバ装置に対して上記第２の携帯端末装置の機器登録を行う機器登録手段とを有し、
上記第２の携帯端末装置は、
上記第１の携帯端末装置から送信された上記ＵＲＬ情報を記憶するＵＲＬ情報記憶手段と、
所定のコンテンツをアップロード或いはダウンロードする際に、上記ＵＲＬ情報記憶手段に記憶された上記ＵＲＬ情報に基づいて上記コンテンツ管理サーバ装置にアクセスすると共に、当該第２の携帯端末装置の固有の機器識別情報を通知するように、上記近距離無線通信手段を制御する通信制御手段とを有し、
上記コンテンツ管理装置は、
上記第１の携帯端末装置の固有の機器識別情報と、上記第１の携帯端末装置により機器登録された上記第２の携帯端末装置の機器識別情報と、上記ＵＲＬ情報の送信時刻情報と、上記第１及び第２の携帯端末装置からアップロードされた上記所定のコンテンツを記憶する記憶手段と、
上記記憶手段に記憶された上記ＵＲＬ情報の送信時刻情報に基づいて、当該送信時刻情報で示される送信時刻を含む所定の時間的範囲を設定する時間的範囲設定手段と、
上記所定のコンテンツのアップロード時には、上記第１或いは第２の携帯端末装置から通知される機器識別情報と、上記記憶手段に記憶された機器識別情報とを比較することで、機器登録済みの携帯端末装置のアップロード要求のみ許可すると共に、このアップロード要求を許可した携帯端末装置からアップロードされたコンテンツに付加されている時刻情報と、上記時間的範囲設定手段で設定された時間的範囲とを比較することで、当該時間的範囲に含まれる時刻情報が付加されたコンテンツのみを上記記憶手段に記憶制御し、上記所定のコンテンツのダウンロード時には、上記第１或いは第２の携帯端末装置から通知される機器識別情報と、上記記憶手段に記憶された機器識別情報とを比較することで、機器登録済みの携帯端末装置に対してのみ、上記記憶手段に記憶されている上記アップロードされたコンテンツを配信するコンテンツ管理手段とを有すること
を特徴とするコンテンツ管理システム。
【請求項２】
それぞれ近距離無線通信手段を備えた第１及び第２の携帯端末装置と、近距離無線通信ネットワークに接続されたコンテンツ管理サーバ装置とでコンテンツの共有管理を行うコンテンツ管理方法であって、
上記第１の携帯端末装置で、
ＵＲＬ情報送信手段が、少なくとも上記コンテンツ管理サーバ装置のＵＲＬ情報（URL：Uniform Resource Locator）を上記第２の携帯端末装置に送信するステップと、
記憶手段が、上記ステップで送信されたＵＲＬ情報に関連付けて、該ＵＲＬ情報を送信した上記第２の携帯端末装置の固有の機器識別情報、及び該ＵＲＬ情報の送信時刻を示す送信時刻情報を記憶するステップと、
機器登録手段が、上記ステップで上記記憶手段に記憶された上記機器識別情報及び送信時刻情報を上記近距離無線通信手段を介して上記コンテンツ管理サーバ装置に送信することで、該コンテンツ管理サーバ装置に対して上記第２の携帯端末装置の機器登録を行うステップとを有し、
上記第２の携帯端末装置で、
ＵＲＬ情報記憶手段が、上記第１の携帯端末装置から送信された上記ＵＲＬ情報を記憶するステップと、
所定のコンテンツをアップロード或いはダウンロードする際に、通信制御手段が、上記ＵＲＬ情報記憶手段に記憶された上記ＵＲＬ情報に基づいて上記コンテンツ管理サーバ装置にアクセスすると共に、当該第２の携帯端末装置の固有の機器識別情報を通知するように、上記近距離無線通信手段を制御するステップとを有し、
上記コンテンツ管理装置で、
記憶手段が、上記第１の携帯端末装置の固有の機器識別情報と、上記第１の携帯端末装置により機器登録された上記第２の携帯端末装置の機器識別情報と、上記ＵＲＬ情報の送信時刻情報と、上記第１及び第２の携帯端末装置からアップロードされた上記所定のコンテンツを記憶するステップと、
時間的範囲設定手段が、上記ステップで上記記憶手段に記憶された上記ＵＲＬ情報の送信時刻情報に基づいて、当該送信時刻情報で示される送信時刻を含む所定の時間的範囲を設定するステップと、
上記所定のコンテンツのアップロード時に、コンテンツ管理手段が、上記第１或いは第２の携帯端末装置から通知される機器識別情報と、上記記憶手段に記憶された機器識別情報とを比較することで、機器登録済みの携帯端末装置のアップロード要求のみ許可すると共に、このアップロード要求を許可した携帯端末装置からアップロードされたコンテンツに付加されている時刻情報と、上記時間的範囲設定手段で設定された時間的範囲とを比較することで、当該時間的範囲に含まれる時刻情報が付加されたコンテンツのみを上記記憶手段に記憶制御するステップと、
上記所定のコンテンツのダウンロード時に、コンテンツ管理手段が、上記第１或いは第２の携帯端末装置から通知される機器識別情報と、上記記憶手段に記憶された機器識別情報とを比較することで、機器登録済みの携帯端末装置に対してのみ、上記記憶手段に記憶されている上記アップロードされたコンテンツを配信するステップとを有すること
を特徴とするコンテンツ管理システム。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、ノート型のパーソナルコンピュータ装置等の携帯通信機器を用いて、静止画像、動画像、音声等の所定のコンテンツを複数のユーザで共有するシステムを、例えばデジタル・リビング・ネットワーク・アライアンス・ガイドライン（＝ＤＬＮＡガイドライン、DLNA：Digital Living Network Alliance：登録商標）に準拠した家庭内ネットワーク等の、個人的な使用に適した小規模なシステムで構築可能としたコンテンツ管理システム、及びコンテンツ管理方法に関する。
【背景技術】
【０００２】
特開２００５−１４９３０３号の公開特許公報（特許文献１）に、移動機を携帯して特定エリアへ入場した顧客に対して、比較的簡単な構成でかつ複雑な操作を要することなく、特定のコンテンツサービスを提供することを目的としたサービス提供システムが開示されている。
【０００３】
このサービス提供システムの場合、移動機の所有者が特定エリアへ入場した際に、入口に設置されたゲートに対して、近距離通信によりアクセス許可情報要求を送信する。ゲートは、このアクセス許可情報要求を受信すると、移動機に対して、入場時刻情報やアクセスＩＤ、ＵＲＬ等のアクセス許可情報を送信する。移動機は、このアクセス許可情報に基づいてサーバに対してアクセスを図る。移動機からアクセスがなされると、サーバは、移動機のアクセスＩＤを確認し、入場時刻情報に基づいて、そのアクセスＩＤが配布されてから経過した時間を求め、アクセスＩＤの有効時間と比較する。この比較の結果、有効時間外のときは当該サーバに対する接続を不可とし、有効時間内のときは当該サーバに対する接続を許可して所定の情報の配信等のサービスを提供する。
【０００４】
【特許文献１】特開２００５−１４９３０３号公報（第７頁〜第８頁、図１、図４）
【発明の開示】
【発明が解決しようとする課題】
【０００５】
ここで、例えば誕生日会やホームパーティー等の小規模かつ個人的なイベントを開催した際に、各ユーザが撮像した写真、動画、音声等のコンテンツを、一台のサーバ装置（或いは複数台のサーバ装置）で管理して、各ユーザ同士で共有するコンテンツ管理システムの構築を考える。
【０００６】
特許文献１に開示されているサービス提供システムの場合、近距離通信を用いたゲートと連動してサーバに対するアクセス管理を行っているのであるが、上記特定エリアの入口にゲートの設置を必要とする等、大掛かりなシステムとなるため、小規模かつ個人的な使用を目的とする上記コンテンツ管理システムには適さないシステムである。
【０００７】
本発明は、上述の課題に鑑みてなされたものであり、所定のコンテンツを複数のユーザで共有するシステムを、個人的な使用に適した小規模なシステムで構築可能なコンテンツ管理システムの提供を目的とする。
【課題を解決するための手段】
【０００８】
本発明に係るコンテンツ管理システムは、それぞれ近距離無線通信手段を備えた第１及び第２の携帯端末装置と、近距離無線通信ネットワークに接続されたコンテンツ管理サーバ装置とを有するコンテンツ管理システムであって、上述の課題を解決するための手段として、
上記第１の携帯端末装置は、
少なくとも上記コンテンツ管理サーバ装置のＵＲＬ情報（URL：Uniform Resource Locator）を上記第２の携帯端末装置に送信するＵＲＬ情報送信手段と、
上記ＵＲＬ情報送信手段で送信されたＵＲＬ情報に関連付けて、該ＵＲＬ情報を送信した上記第２の携帯端末装置の固有の機器識別情報、及び該ＵＲＬ情報の送信時刻を示す送信時刻情報を記憶する記憶手段と、
上記記憶手段に記憶された上記機器識別情報及び送信時刻情報を上記近距離無線通信手段を介して上記コンテンツ管理サーバ装置に送信することで、該コンテンツ管理サーバ装置に対して上記第２の携帯端末装置の機器登録を行う機器登録手段とを有し、
上記第２の携帯端末装置は、
上記第１の携帯端末装置から送信された上記ＵＲＬ情報を記憶するＵＲＬ情報記憶手段と、
所定のコンテンツをアップロード或いはダウンロードする際に、上記ＵＲＬ情報記憶手段に記憶された上記ＵＲＬ情報に基づいて上記コンテンツ管理サーバ装置にアクセスすると共に、当該第２の携帯端末装置の固有の機器識別情報を通知するように、上記近距離無線通信手段を制御する通信制御手段とを有し、
上記コンテンツ管理装置は、
上記第１の携帯端末装置の固有の機器識別情報と、上記第１の携帯端末装置により機器登録された上記第２の携帯端末装置の機器識別情報と、上記ＵＲＬ情報の送信時刻情報と、上記第１及び第２の携帯端末装置からアップロードされた上記所定のコンテンツを記憶する記憶手段と、
上記記憶手段に記憶された上記ＵＲＬ情報の送信時刻情報に基づいて、当該送信時刻情報で示される送信時刻を含む所定の時間的範囲を設定する時間的範囲設定手段と、
上記所定のコンテンツのアップロード時には、上記第１或いは第２の携帯端末装置から通知される機器識別情報と、上記記憶手段に記憶された機器識別情報とを比較することで、機器登録済みの携帯端末装置のアップロード要求のみ許可すると共に、このアップロード要求を許可した携帯端末装置からアップロードされたコンテンツに付加されている時刻情報と、上記時間的範囲設定手段で設定された時間的範囲とを比較することで、当該時間的範囲に含まれる時刻情報が付加されたコンテンツのみを上記記憶手段に記憶制御し、上記所定のコンテンツのダウンロード時には、上記第１或いは第２の携帯端末装置から通知される機器識別情報と、上記記憶手段に記憶された機器識別情報とを比較することで、機器登録済みの携帯端末装置に対してのみ、上記記憶手段に記憶されている上記アップロードされたコンテンツを配信するコンテンツ管理手段とを有する。
【０００９】
また、本発明に係るコンテンツ管理方法は、それぞれ近距離無線通信手段を備えた第１及び第２の携帯端末装置と、近距離無線通信ネットワークに接続されたコンテンツ管理サーバ装置とでコンテンツの共有管理を行うコンテンツ管理方法であって、上述の課題を解決するための手段として、
上記第１の携帯端末装置で、
ＵＲＬ情報送信手段が、少なくとも上記コンテンツ管理サーバ装置のＵＲＬ情報（URL：Uniform Resource Locator）を上記第２の携帯端末装置に送信するステップと、
記憶手段が、上記ステップで送信されたＵＲＬ情報に関連付けて、該ＵＲＬ情報を送信した上記第２の携帯端末装置の固有の機器識別情報、及び該ＵＲＬ情報の送信時刻を示す送信時刻情報を記憶するステップと、
機器登録手段が、上記ステップで上記記憶手段に記憶された上記機器識別情報及び送信時刻情報を上記近距離無線通信手段を介して上記コンテンツ管理サーバ装置に送信することで、該コンテンツ管理サーバ装置に対して上記第２の携帯端末装置の機器登録を行うステップとを有し、
上記第２の携帯端末装置で、
ＵＲＬ情報記憶手段が、上記第１の携帯端末装置から送信された上記ＵＲＬ情報を記憶するステップと、
所定のコンテンツをアップロード或いはダウンロードする際に、通信制御手段が、上記ＵＲＬ情報記憶手段に記憶された上記ＵＲＬ情報に基づいて上記コンテンツ管理サーバ装置にアクセスすると共に、当該第２の携帯端末装置の固有の機器識別情報を通知するように、上記近距離無線通信手段を制御するステップとを有し、
上記コンテンツ管理装置で、
記憶手段が、上記第１の携帯端末装置の固有の機器識別情報と、上記第１の携帯端末装置により機器登録された上記第２の携帯端末装置の機器識別情報と、上記ＵＲＬ情報の送信時刻情報と、上記第１及び第２の携帯端末装置からアップロードされた上記所定のコンテンツを記憶するステップと、
時間的範囲設定手段が、上記ステップで上記記憶手段に記憶された上記ＵＲＬ情報の送信時刻情報に基づいて、当該送信時刻情報で示される送信時刻を含む所定の時間的範囲を設定するステップと、
上記所定のコンテンツのアップロード時に、コンテンツ管理手段が、上記第１或いは第２の携帯端末装置から通知される機器識別情報と、上記記憶手段に記憶された機器識別情報とを比較することで、機器登録済みの携帯端末装置のアップロード要求のみ許可すると共に、このアップロード要求を許可した携帯端末装置からアップロードされたコンテンツに付加されている時刻情報と、上記時間的範囲設定手段で設定された時間的範囲とを比較することで、当該時間的範囲に含まれる時刻情報が付加されたコンテンツのみを上記記憶手段に記憶制御するステップと、
上記所定のコンテンツのダウンロード時に、コンテンツ管理手段が、上記第１或いは第２の携帯端末装置から通知される機器識別情報と、上記記憶手段に記憶された機器識別情報とを比較することで、機器登録済みの携帯端末装置に対してのみ、上記記憶手段に記憶されている上記アップロードされたコンテンツを配信するステップとを有する。
【発明の効果】
【００１０】
本発明は、所定のコンテンツを複数のユーザで共有するシステムを、個人的な使用に適した小規模なシステムで構築可能とすることができる。
【発明を実施するための最良の形態】
【００１１】
本発明は、例えばデジタル・リビング・ネットワーク・アライアンス・ガイドライン（＝ＤＬＮＡガイドライン、DLNA：Digital Living Network Alliance：登録商標）に準拠した各機器を、ホームネットワーク（家庭内ＬＡＮ、LAN：Local Area Network）等の近距離無線通信ネットワークに接続することで構築されたコンテンツ管理システムに適用することができる。
【００１２】
［ＤＬＮＡガイドラインの概要］
この本発明の実施の形態となるコンテンツ管理システムを構成する各機器が準拠しているＤＬＮＡガイドライン ｖ１では、デバイスモデルとしてＤＭＳ(Digital Media Server)とＤＭＰ（Digital Media Player）という２つのモデルが定義されている。ＤＭＳはＵＰｎＰ（Universal Plug and Play：登録商標）のメディアサーバが内蔵されたサーバ用のデバイスモデル、ＤＭＰはメディアクライアントとコントロールポイントと呼ばれるユーザが操作するソフトウェアが内蔵されたクライアント用のデバイスモデルとなっている。ＤＭＳとＤＭＰの各機能をどの機器に持たせるかは自由となっており、両方の機能を１台の機器に持たせることも可能となっている。
【００１３】
ＤＬＮＡガイドライン ｖ１．１では、これらに加え、ＤＭＣ(Digital Media Controller)、ＤＭＲ(Digital Media Renderer)、ＤＭＰｒ(Digital Media Printer)の３つのデバイスモデルが新たに定義されている。ＤＭＣはコントロールポイントだけを独立させたデバイスモデルで、ＤＭＲはユーザインターフェイスを持たない再生プレーヤのデバイスモデルとなっている。これにより、リモートコントローラ機能のみを有するＤＬＮＡガイドライン対応デバイスや、ＤＭＣによりコントロールされ、再生だけを行うＤＬＮＡガイドライン対応デバイス等を実現可能となっている。
【００１４】
ＤＬＮＡガイドラインでは、ネットワークとしてイーサネット（Ethernet：登録商標）、或いは無線ＬＡＮ（LAN：Local Area Network）を、通信プロトコルとしてＴＣＰ／ＩＰ（Transmission Control Protocol/Internet Protocol）を、アドレスの動的割り当てにＤＨＣＰ（Dynamic Host Configuration Protocol）やオートＩＰをそれぞれ用いるように規定されている。また、ＤＬＮＡガイドラインでは、コンテンツの送受信にＨＴＴＰ（HyperText Transfer Protocol）を、ＤＭＳ機器とＤＭＰ機器との間のメッセージの記述にはＸＭＬ（Extensible Markup Language）を、利用可能なサーバの検索やコンテンツ一覧の取得にはＵＰｎＰ（Universal Plug and Play：登録商標）を、それぞれ用いるように規定されている。
【００１５】
また、ＤＬＮＡガイドラインでは、リニアＰＣＭ（Linear Pulse Code Modulation）、ＭＰ３（MPEG-1 Audio Layer-3）、ＡＡＣ（Advanced Audio Coding）、ＡＴＲＡＣ３Ｐｌｕｓ（登録商標、ATRAC：Adaptive TRansform Acoustic Coding）、ＷＭＡ（登録商標、Windows Media Audio）等の音声コンテンツ、ＪＰＥＧ（Joint Photographic Experts Group）の静止画コンテンツ、ＭＰＥＧ−２（Moving Picture Experts Group phase 2）の動画コンテンツは、必ず取り扱い可能とするように規定されている。
【００１６】
［システム構成］
この実施の形態となるコンテンツ管理システムは、このようなＤＬＮＡガイドラインに準拠して動作する＋ＰＵ＋機能（Push Controller：プッシュコントローラ）を備えたイベント主催者の携帯電話機１と、イベント参加者の一つ或いは複数の携帯電話機２と、イベント主催者の自宅等に構築されたホームネットワーク３（家庭内ＬＡＮ、LAN：Local Area Network）に接続された、例えば無線ＬＡＮやブルートゥース（Bluetooth：登録商標）等の近距離無線通信のアクセスポイント４（近距離無線通信ＡＰ）と、ホームネットワーク３に接続され、上記ＤＬＮＡガイドラインに準拠して動作するＤＭＳ機能（DMS：Digital Media Server）を備えた管理サーバ装置５とを有している。
【００１７】
〔管理サーバ装置の構成〕
管理サーバ装置５は、例えばイベント主催者の自宅に設置されたパーソナルコンピュータ装置を用いることができ、上記無線ＬＡＮやブルートゥース（Bluetooth：登録商標）等の近距離無線通信を行う近距離無線通信部９と、イベント主催者の携帯電話機１や各イベント参加者の携帯電話機２からアップロードされたコンテンツや、このコンテンツの配信管理を行うためのＤＭＳプログラム（DMS：Digital Media Server）等が記憶されたメモリ１１と、当該管理サーバ装置５全体の動作を制御する制御部１２とを有している。
【００１８】
〔携帯電話機の構成〕
イベント主催者の携帯電話機１（及びイベント参加者の携帯電話機２）は、それぞれ図２に示すように基地局との間で音声通話、テレビ電話通話、電子メール、Ｗｅｂデータ（Web：World Wide Web）等の無線通信を行うアンテナ２１及び通信回路２２と、受話音声等を出力するためのスピーカ部２３と、送話音声等を集音するマイクロホン部２４と、操作メニュー、電子メール、画像（静止画像及び動画像）等を表示するための表示部２５と、所望のメニューやメッセージ等の入力操作を行うための操作部２６と、発着信等を光でユーザに通知するための発光部２７（LED：Light Emitting Diode）と、所望の被写体の動画像或いは静止画像を撮像するためのカメラ部２８とを有している。
【００１９】
また、携帯電話機１，２は、当該携帯電話機１の筐体を振動させて発着信等をユーザに通知するためのバイブレーションユニット２９と、時刻をカウントするタイマ３０と、上記近距離無線通信ＡＰ４との間で近距離無線通信を行うための近距離無線通信アンテナ３１及び近距離無線通信部３２と、通信距離が例えば６０ｃｍ以内等の極近距離で無線通信（＝非接触無線通信）を行うための非接触無線通信アンテナ３３及び非接触無線通信部３４と、コミュニケーションプログラムや各種アプリケーションプログラムの他、これら各アプリケーションプログラムで取り扱われる各種データ（コンテンツ）等が記憶されたメモリ３５と、イベントに関連するコンテンツの管理サーバ装置５内における保存先を示すＵＲＬ情報（URL：Uniform Resource Locator）を配信済みのイベント参加者の携帯電話機２を管理するためのＵＲＬ配信管理テーブル３６と、当該携帯電話機１全体の動作を制御する制御部３７とを有している。
【００２０】
メモリ３５には、ＤＬＮＡガイドラインで規定されている＋ＰＵ＋機能を実現するための＋ＰＵ＋プログラムと、上記ＵＲＬ情報（URL：Uniform Resource Locator）の配信管理等を行うためのイベント処理プログラムと、基地局を介した無線通信処理、上記近距離無線通信部３２を介した近距離無線通信処理、及び上記非接触無線通信部３４を介した非接触無線通信処理を行うための通信処理プログラム（コミュニケーションプログラム）とが記憶されている。
【００２１】
また、メモリ３５には、カメラ部２８の撮像制御を行うカメラ制御プログラムと、コミュニケーションネットワークやインターネット等の所定のネットワーク上に設けられたサーバ装置上で公開されているＷｅｂページを閲覧するためのＷｅｂブラウジングプログラムと、電子メールの作成や送受信を制御するための電子メール管理プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムとが記憶されている。
【００２２】
また、メモリ３３には、ユーザの所望のスケジュールが登録されるスケジュール帳と、ユーザの知人や友人等のユーザ名、静止画像、住所、電話番号、電子メールアドレス、生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴等が記憶されている。
【００２３】
［システム動作の概要］
このコンテンツ管理システムでは、例えば携帯電話機１を所有するイベント主催者の自宅で誕生日会やホームパーティー等のイベントを開催する場合、当該携帯電話機１に対して、自宅に設置されている近距離無線通信ＡＰ４、イベントに関連する静止画像、動画像、或いは音声のコンテンツの保存場所となる管理サーバ装置のＵＲＬ情報、及びセキュリティの強度を事前登録しておく。これら各情報は、携帯電話機１のメモリを３５に記憶される。
【００２４】
イベントが開催されると、イベント主催者は、当該イベントに関連するコンテンツを保存する管理サーバ装置５に対するアクセス権（＝イベントに関連するコンテンツを保存する管理サーバ装置内のフォルダ等のＵＲＬ情報）を、当該イベント主催者の携帯電話機１を介して、各イベント参加者の携帯電話機２に通知する。各イベント参加者は、イベント当日或いは後日に、このＵＲＬ情報に基づいて管理サーバ装置５にアクセスし、自分の撮像した静止画像等のコンテンツをアップロードする。管理サーバ装置５は、イベント主催者及びイベント参加者の携帯電話機１，２の携帯電話番号等の機器識別情報（機器ＩＤ）に基づいてコンテンツの配信管理を行い、イベントに参加したユーザの携帯電話機に対してのみ、上記アップロードされたコンテンツを配信することで、イベントに参加したユーザ間でのみ、当該イベントに関連するコンテンツの共有を図るようになっている。
【００２５】
〔ＵＲＬ情報の通知動作〕
図３のフローチャートに、イベント主催者の携帯電話機１から各イベント参加者の携帯電話機２に対して、上記管理サーバ装置５のＵＲＬ情報を通知する動作の流れを示す。イベント主催者の携帯電話機１の制御部３７は、メイン電源の投入を検出することで、メモリ３５に記憶されているイベント処理プログラムに基づいて、このフローチャートの処理を開始する。
【００２６】
まず、ステップＳ１では、イベント主催者の携帯電話機１の制御部３７が、近距離無線通信部３２は駆動状態であるか否かを判別する。近距離無線通信部３２が駆動状態であると判別した場合は処理をステップＳ２に進め、近距離無線通信部３２が駆動状態ではないと判別した場合は処理をステップＳ１１において近距離無線通信部３２を駆動状態に制御して処理をステップＳ２に進める。
【００２７】
ステップＳ２では、制御部３７が、近距離無線通信部３２を通信制御することで、当該携帯電話機１の周辺に近距離無線のアクセスポイントが存在するか否かを判別する。近距離無線のアクセスポイントが存在しないということは、近距離無線通信を行うことができないことを意味するため、制御部３７は、処理をステップＳ１２に進め、通常のプロファイル転送モードに移行して、この図３のフローチャートに示す処理を終了する。
【００２８】
これに対して、近距離無線のアクセスポイントを検出した場合、制御部３７は、ステップＳ３で、この検出したアクセスポイントに近距離無線通信回線の接続を図り、ステップＳ４において、このアクセスポイントは、イベント管理用に登録された近距離無線通信ＡＰ４であるか否かを判別する。
【００２９】
上記ステップＳ４において、上記検出されたアクセスポイントがイベント管理用に登録された近距離無線通信ＡＰ４ではないと判別するということは、イベント主催者は自宅以外の場所に居ることを意味するため、この場合、制御部３７は処理をステップＳ１２に進め、通常のプロファイル転送モードに移行して、この図３のフローチャートに示す処理を終了する。
【００３０】
これに対して、上記検出されたアクセスポイントがイベント管理用に登録された近距離無線通信ＡＰ４であると判別した場合、イベント主催者は自宅に居ることを意味するため、この場合、制御部３７は処理をステップＳ５に進め、各イベント参加者の携帯電話機２に対して、コンテンツ管理用の管理サーバ装置５のＵＲＬ情報を転送する「ＵＲＬ供給モード」に移行して、処理をステップＳ６に進める。
【００３１】
イベント主催者の携帯電話機１が、この「ＵＲＬ供給モード」に移行することで、各イベント参加者は、上記コンテンツ管理用の管理サーバ装置５のＵＲＬ情報の提供を受けることが可能となる。この例の場合、イベント主催者の携帯電話機１はイベント参加者の携帯電話機２に対して、非接触無線通信を介して上記ＵＲＬ情報を送信するようになっている。このため、イベント主催者の携帯電話機１は、「ＵＲＬ供給モード」に移行した場合、当該イベント主催者の携帯電話機１とイベント参加者の携帯電話機２との間の物理的な距離が、近距離無線通信が可能な距離に近接するまでの間、この「ＵＲＬ供給モード」のまま待機状態となる。
【００３２】
ステップＳ６では、イベント主催者の携帯電話機１の制御部３７が、イベント参加者の携帯電話機２が近づけられることで非接触無線通信要求がなされたか否かを判別する。そして、イベント参加者の携帯電話機２からの非接触無線通信要求を検出したタイミングで処理をステップＳ７に進め、この非接触無線通信により、イベント参加者の携帯電話機２から当該携帯電話機２の携帯電話番号等の機器ＩＤを取得して、処理をステップＳ８に進める。
【００３３】
ここで、図２に示すＵＲＬ配信管理テーブル３６には、管理サーバ装置５のＵＲＬ情報を配信済みの携帯電話機の携帯電話番号が登録されるようになっている。このため、ステップＳ８に処理を進めると、制御部３７は、上記ステップＳ７で取得したイベント参加者の携帯電話番号に基づいて、このＵＲＬ配信管理テーブル３６を参照することで、当該イベント参加者に対して、管理サーバ装置５のＵＲＬ情報を既に配信済みであるか否かを判別する。そして、管理サーバ装置５のＵＲＬ情報を既に配信済みであると判別した場合は（＝ＵＲＬ配信管理テーブル３６に取得した携帯電話番号と同じ電話番号が登録されていた場合は）、該ＵＲＬ情報を重複して配信する必要はないため、そのままこの図３のフローチャートに示す処理を終了する。
【００３４】
これに対して、管理サーバ装置５のＵＲＬ情報を配信していないものと判別した場合（＝ＵＲＬ配信管理テーブル３６に取得した携帯電話番号が登録されていなかった場合）、制御部３７はステップＳ９に処理を進め、イベント参加者の携帯電話機２に対して、近距離無線通信ＡＰ４のＭＡＣアドレス（MAC：Media Access Control address）を含む上記管理サーバ装置５のＵＲＬ情報を、非接触無線通信部３４を介してイベント参加者の携帯電話機２に送信する。なお、必要な場合は、このステップＳ９においてパスワードの設定（或いは発行）も行う。
【００３５】
そして、ステップＳ１０において、制御部３７は、管理サーバ装置５のＵＲＬ情報を送信したイベント参加者の携帯電話番号と共に、タイマ３０で計時された該ＵＲＬ情報の送信時刻をＵＲＬ配信管理テーブル３６に登録して、この図３のフローチャートの処理を終了する。なお、上記ステップＳ９においてパスワードの設定（或いは発行）も行った場合には、このパスワードも、上記イベント参加者の携帯電話番号と共にＵＲＬ配信管理テーブル３６に登録する。
【００３６】
〔管理サーバ装置に対する機器登録動作〕
次に、イベント主催者及びイベント参加者でコンテンツの共有を行うには、各イベント参加者の携帯電話機２の携帯電話番号等の機器情報を管理サーバ装置５に登録する必要がある。イベント主催者は、図３のフローチャートを用いて説明したように、各イベント参加者の携帯電話機２から携帯電話番号を取り込むと、この携帯電話番号を上記ＵＲＬ情報と共に管理サーバ装置１１に登録する。これにより、各イベント参加者は、携帯電話機２の近距離無線通信部３４を介して管理サーバ装置５にアクセスし、イベントに関連するコンテンツのアップロード及びダウンロードが可能となる。図４のフローチャートに、イベント主催者の携帯電話機１が管理サーバ装置５に対してイベント参加者の携帯電話機２の機器登録を行う動作の流れを示す。イベント主催者の携帯電話機１の制御部３７は、メイン電源の投入を検出することで、メモリ３５に記憶されているイベント処理プログラムに基づいて、このフローチャートの処理を開始する。
【００３７】
まず、ステップＳ２１では、イベント主催者の携帯電話機１の制御部３７が、近距離無線通信部３２は駆動状態であるか否かを判別する。近距離無線通信部３２が駆動状態であると判別した場合は処理をステップＳ２２に進め、近距離無線通信部３２が駆動状態ではないと判別した場合は処理をステップＳ２７において近距離無線通信部３２を駆動状態に制御して処理をステップＳ２２に進める。
【００３８】
ステップＳ２２では、制御部３７が、近距離無線通信部３２を通信制御することで、当該携帯電話機１の周辺に近距離無線のアクセスポイントが存在するか否かを判別する。近距離無線のアクセスポイントが存在しないということは、近距離無線通信を行うことができないことを意味するため、制御部３７は、そのまま、この図４のフローチャートに示す処理を終了する。
【００３９】
これに対して、近距離無線のアクセスポイントを検出した場合、制御部３７は、ステップＳ２３で、この検出したアクセスポイントに近距離無線通信回線の接続を図り、ステップＳ２４において、近距離無線通信ＡＰ４のＭＡＣアドレス等に基づいて、このアクセスポイントは、イベント管理用に登録された近距離無線通信ＡＰ４であるか否かを判別する。
【００４０】
上記ステップＳ２４において、上記検出されたアクセスポイントがイベント管理用に登録された近距離無線通信ＡＰ４ではないと判別するということは、イベント主催者は自宅以外の場所におり、各イベント参加者の携帯電話機２の機器登録はできないことを意味するため、制御部３７は、そのまま、この図４のフローチャートに示す処理を終了する。
【００４１】
これに対して、上記検出されたアクセスポイントがイベント管理用に登録された近距離無線通信ＡＰ４であると判別した場合、イベント主催者は自宅に居ることを意味するため、制御部３７は処理をステップＳ２５に進め、近距離無線通信ＡＰ４及びホームネットワーク３を介して管理サーバ装置５との間の近距離無線通信回線を確立し、処理をステップＳ２６に進める。
【００４２】
そして、このステップＳ２６において、制御部３７は、ＵＲＬ配信管理テーブル３６に登録されている各イベント参加者の携帯電話機２の携帯電話番号、ＵＲＬ情報、ＵＲＬ情報の送信時刻を、近距離無線通信部３２を介して管理サーバ装置５に近距離無線送信し、この図４のフローチャートに示す処理を終了する。なお、各イベント参加者の携帯電話機２に対するパスワードが設定（或いは発行）されている場合には、ＵＲＬ配信管理テーブル３６に登録されている、このパスワードも、上記携帯電話番号等と共に管理サーバ装置５に近距離無線送信する。
【００４３】
〔コンテンツの配信管理〕
次に、管理サーバ装置５の制御部１２は、このようにイベント主催者の携帯電話機１から近距離無線送信された各情報をメモリ１１に記憶制御する。また、管理サーバ装置５は、イベント主催者の携帯電話機１から各イベント参加者の携帯電話機２に対して非接触無線送信されたＵＲＬ情報の送信時刻情報に基づいて、例えば送信時刻の前後２時間等のコンテンツへのアクセス権の設定を行う。具体的には、イベント主催者の携帯電話機１からイベント参加者の携帯電話機２に対して上記ＵＲＬ情報の送信が行われた時刻が２００７年６月１日の午後７時００分であった場合、管理サーバ装置５の制御部１２は、２００７年６月１日の午後５時００分〜午後９時００分を、コンテンツに対するアクセス権として設定する。
【００４４】
管理サーバ装置５は、このアクセス権として設定した時間情報をイベントが開催されていた時間として認識し、このイベントの開催時間内の時刻情報を有するコンテンツを、当該イベントに関連するコンテンツとして管理するようになっている。また、管理サーバ装置５は、イベントの開催時間内の送信時刻情報を備えたＵＲＬ情報に基づいてアクセスがなされた場合、このアクセスをイベント参加者からのアクセスとして認識し、コンテンツのアップロードやダウンロードを管理するようになっている。
【００４５】
（コンテンツのアップロード）
具体的には、例えばイベント参加者が自分の携帯電話機２のカメラ機能を用いてイベント開催時に撮像した静止画像や動画像を管理サーバ装置５にアップロードする場合、イベント参加者は、まず、イベント主催者の携帯電話機１から送信されたＵＲＬ情報に基づいて、イベント当日或いは後日に近距離無線通信部３２を介して管理サーバ装置５にアクセスし、当該携帯電話機２の携帯電話番号を通知する。
【００４６】
管理サーバ装置５の制御部１２は、上記アクセスの際にイベント参加者の携帯電話機２から通知された携帯電話番号と、機器登録時にイベント主催者の携帯電話機１によりメモリ１１に登録されたイベント参加者の携帯電話番号とを比較することで、現在、アクセスしてきているユーザは、イベント参加者であるか否かを判別する。
【００４７】
このアクセス時に通知された携帯電話番号が、事前にメモリ１１に登録されていないということは、イベント参加者からのアクセスではないことを意味するため、管理サーバ装置５の制御部１２は、当該アクセスを拒否する。これに対して、上記アクセス時に通知された携帯電話番号が、事前にメモリ１１に登録されていなるということは、イベント参加者からのアクセスであることを意味するため、管理サーバ装置５の制御部１２は当該アクセスを許可する。
【００４８】
次に、アクセスが許可されると、イベント参加者は、携帯電話機２に保存している静止画像コンテンツや動画像コンテンツを、近距離無線通信部３２を介してサーバ装置５に送信する。この静止画像コンテンツや動画像コンテンツには、撮像時において制御部３７により撮像時刻情報が付加されている。このため、サーバ装置５の制御部１２は、イベント参加者の携帯電話機２から受信した静止画像コンテンツや動画像コンテンツの撮像時刻が、上記アクセス権として設定したイベント開催時間内の時刻であるか否かを判別する。上記撮像時刻がイベント開催時間内の時刻ではないものと判別した場合、イベント参加者からのアクセスではあるが、イベントに関連しないコンテンツのアップロードであることを意味するため、サーバ装置５の制御部１２は、当該静止画像コンテンツや動画像コンテンツのアップロードを拒否する。これに対して、上記撮像時刻がイベント開催時間内の時刻であるものと判別した場合、イベント参加者からのアクセスであり、かつ、イベントに関連するコンテンツのアップロードであることを意味するため、サーバ装置５の制御部１２は、アップロードされた静止画像コンテンツや動画像コンテンツをメモリ１１に保存する。これにより、コンテンツのアップロードを、イベントに参加したユーザ、かつ、イベントに関連するコンテンツのみに限定して管理することができる。
【００４９】
（コンテンツのダウンロード）
次に、このようにアップロードされたコンテンツをダウンロードする場合、イベント参加者は、イベント主催者の携帯電話機１から送信されたＵＲＬ情報に基づいて、イベント当日或いは後日に近距離無線通信部３２を介して管理サーバ装置５にアクセスする。
【００５０】
管理サーバ装置５の制御部１２は、上記アクセスの際にイベント参加者の携帯電話機２から通知された携帯電話番号がメモリ１１に事前登録されているか否かを判別することで、現在のアクセスがイベント参加者からのアクセスであるか否かを判別する。そして、イベント参加者の携帯電話機２から通知された携帯電話番号がメモリ１１に事前登録されていないものと判別した場合、現在のアクセスがイベント参加者からのアクセスではないことを意味するため、管理サーバ装置５の制御部１２は、当該アクセスを拒否する。
【００５１】
これに対して、イベント参加者の携帯電話機２から通知された携帯電話番号がメモリ１１に事前登録されているものと判別した場合、現在のアクセスがイベント参加者からのアクセスであることを意味するため、管理サーバ装置５の制御部１２は、メモリ１１にアップロードされているコンテンツのうち、上記アクセス権として設定したイベント開催時間内の撮像時刻を有する静止画像コンテンツや動画像コンテンツのダウンロードを許可する。これにより、コンテンツのダウンロードを、イベントに参加したユーザ、かつ、イベントに関連するコンテンツのみに限定して管理することができる。
【００５２】
（スケジュール帳に対するメタデータの自動登録動作）
ここで、各携帯電話機１，２の制御部３７は、コンテンツのアップロード時やダウンロード時に管理サーバ装置５に対してアクセスした際に、当該管理サーバ装置５から「イベント名」、「イベント開催場所」、「イベント開催日時」、「イベント参加者」の各メタデータを得ることができるようになっている。各携帯電話機１，２の制御部３７は、これら各メタデータを得ると、メモリ３５に記憶されているスケジュール帳の対応する日付の欄に、イベントの上記各メタデータを自動的に登録する。これにより、スケジュール帳には、過去のイベントのメタデータが書き込まれることとなり、過去体験のブラウジングを可能とすることができる。
【００５３】
［実施の形態の効果］
以上の説明から明らかなように、この実施の形態のコンテンツ管理システムは、例えばホームパーティーや誕生日会等の個人的かつ小規模なイベントを開催するイベント主催者の携帯電話機１と、当該イベントに参加するイベント参加者の携帯電話機２との間で、非接触無線通信を行うことで、イベント主催者の携帯電話機１からイベント参加者の携帯電話機２に対して、当該イベント主催者の自宅等の近距離無線通信を行うホームネットワーク３に接続された管理サーバ装置５のＵＲＬ情報を送信する。
【００５４】
また、この非接触無線通信の際に、イベント主催者の携帯電話機１は、イベント参加者の携帯電話機２から、当該携帯電話機２の携帯電話番号を取得し、この携帯電話番号を、携帯電話機２に送信したＵＲＬ情報、及び該ＵＲＬ情報の送信時刻情報と共にＵＲＬ配信管理テーブル３６に登録する。
【００５５】
イベント主催者の携帯電話機１は、ＵＲＬ配信管理テーブル３６に登録したイベント参加者の携帯電話機２の携帯電話番号、該携帯電話機２に送信したＵＲＬ情報、及び該ＵＲＬ情報の送信時刻情報を、近距離無線通信により管理サーバ装置５に送信することで、イベント参加者の携帯電話機２を管理サーバ装置５に対して機器登録する。
【００５６】
イベント参加者は、携帯電話機２で撮像された静止画像コンテンツ等をアップロードする場合、イベント主催者の携帯電話機１から送信されたＵＲＬ情報に基づいて管理サーバ装置５にアクセスし、上記静止画像コンテンツのアップロードを行う。管理サーバ装置５は、このアップロード時に通知される携帯電話番号に基づいて、当該イベント参加者の携帯電話機２の機器登録の有無を判別し、機器登録済みの場合のみ、コンテンツのアップロードを許可する。
【００５７】
また、イベント参加者は、管理サーバ装置５にアップロードされたコンテンツをダウンロードする場合、イベント主催者の携帯電話機１から送信されたＵＲＬ情報に基づいて管理サーバ装置５にアクセスし、コンテンツのダウンロード要求を行う。管理サーバ装置５は、このダウンロード要求時に通知される携帯電話番号に基づいて、当該イベント参加者の携帯電話機２の機器登録の有無を判別し、機器登録済みの場合のみ、コンテンツのダウンロードを許可する。
【００５８】
これにより、例えばホームパーティーや誕生日会等の個人的かつ小規模なイベントを主催した主催者及び参加者の間で、このイベントに関する静止画像、動画像、音声等のコンテンツを簡単に共有可能とすることができる。
【００５９】
また、各携帯電話機１，２間の非接触無線通信と、各携帯電話機１，２及びホームネットワーク３に接続された管理サーバ装置５の間の近距離無線通信によりシステムを構築することができるため、個人的な使用に適した小規模なシステムで実現可能とすることができる。
【００６０】
なお、上述の実施の形態の説明では、本発明に対して携帯電話機を用いることとしたが、この携帯電話機の他、ＰＨＳ電話機（PHS：Personal Handyphone System）、ＰＤＡ装置（PDA：Personal Digital Assistant）、ノート型のパーソナルコンピュータ装置等の携帯機器を用いてもよい。いずれの場合でも、上述と同じ効果を得ることができる。
【００６１】
最後に、上述の実施の形態の説明は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【００６２】
【図１】本発明を適用した実施の形態となるコンテンツ管理システムのシステム構成を示す図である。
【図２】実施の形態のコンテンツ管理システムで用いられる携帯電話機のブロック図である。
【図３】実施の形態のコンテンツ管理システムで用いられる携帯電話機同士が非接触無線通信を用いて、コンテンツの管理を行う管理サーバ装置のＵＲＬ情報を送受信する動作を説明するためのフローチャートである。
【図４】実施の形態のコンテンツ管理システムで管理されるコンテンツを共有する各ユーザの携帯電話機を、管理サーバ装置に対して機器登録する動作を説明するためのフローチャートである。
【符号の説明】
【００６３】
１  イベント主催者の携帯電話機、２  イベント参加者の携帯電話機、３  ホームネットワーク（家庭内ＬＡＮ）、４  近距離無線通信ＡＰ、５  管理サーバ装置、９  近距離無線通信部、１１  メモリ、１２  制御部、２１  携帯電話機のアンテナ、２２  通信回路、２３  スピーカ部、２４  マイクロホン部、２５  表示部、２６  操作部、２７  発光部（ＬＥＤ）、２８  カメラ部、２９  バイブレーションユニット、３０  タイマ、３１  近距離無線通信アンテナ、３２  近距離無線通信部、３３  非接触無線通信アンテナ、３４  非接触無線通信部、３５  メモリ、３６  ＵＲＬ配信管理テーブル、３７  制御部
【図１】
0004931707.tif 000002
【図２】
0004931707.tif 000003
【図３】
0004931707.tif 000004
【図４】
0004931707.tif 000005